(57)【要約】【課題】着用感が低下することなく、マルチタッチパネルを容易に操作することができる手袋を提供する。【解決手段】手袋１０Ａでは、着用者１１の親指１２、人差し指１３、中指１４の末節骨を覆う指部分１５を作る糸が合成樹脂繊維とそれら指１２〜１４の静電容量によって流れる電流をマルチタッチパネルに伝える導電性繊維とを撚った撚糸であり、指部分１５を除く残余部分１６を作る糸が合成樹脂繊維を撚った撚糸であり、合成樹脂繊維がアクリル、ポリエステル、ポリウレタン、ポリエチレン、ポリ塩化ビニル、ナイロン、ポリプロピレン、アセテート、ビニロン、ビニルデン、レーヨンのうちのいずれかから作られ、導電性繊維が銅、銀、鉄のうちのいずれかから作られている。【選択図】図１
0003178607.tif 000002
【実用新案登録請求の範囲】
【請求項１】
糸を編み込むことによって作られ、着用者の前腕から五指へ向かう部位のうちの少なくとも手の甲と手の平と五指とを包被する手袋において、
前記着用者の親指、人差し指、中指の基節骨から末節骨までのうちの少なくとも末節骨を覆う前記手袋の指部分を作る糸が、合成樹脂繊維とそれら指の静電容量によって流れる電流をマルチタッチパネルに伝える導電性繊維とを撚った撚糸であり、前記指部分を除く手袋の残余部分を作る糸が、前記合成樹脂繊維を撚った撚糸であり、前記合成樹脂繊維が、アクリル、ポリエステル、ポリウレタン、ポリエチレン、ポリ塩化ビニル、ナイロン、ポリプロピレン、アセテート、ビニロン、ビニルデン、レーヨンのうちのいずれかから作られ、前記導電性繊維が、銅、銀、鉄のうちのいずれかから作られていることを特徴とする手袋。
【請求項２】
前記手袋の指部分が、前記親指のはらおよび背を覆う親指被覆部分と、前記人差し指のはらおよび背を覆う人差し指被覆部分と、前記中指のはらおよび背を覆う中指被覆部分とである請求項１に記載の手袋。
【請求項３】
前記手袋の指部分が、前記親指のはらのみを覆う親指のはら被覆部分と、前記人差し指のはらのみを覆う人差し指のはら被覆部分と、前記中指のはらのみを覆う中指のはら被覆部分とである請求項１に記載の手袋。
【請求項４】
前記手袋の指部分を作る撚糸１００重量％に対する前記合成樹脂繊維の割合が、７０〜８０重量％の範囲、前記手袋の指部分を作る撚糸１００重量％に対する前記導電性繊維の割合が、２０〜３０重量％の範囲にある請求項１ないし請求項３いずれかに記載の手袋。
【請求項５】
前記手袋の指部分を作る撚糸の色が、前記残余部分のそれと異なっている請求項１ないし請求項４いずれかに記載の手袋。
【考案の詳細な説明】
【技術分野】
【０００１】
本考案は、着用者の前腕から五指へ向かう部位のうちの少なくとも手の甲と手の平と五指とを包被する手袋に関し、さらに詳細には、高機能携帯端末の静電容量方式マルチタッチパネルを操作することが可能な手袋に関する。
【背景技術】
【０００２】
指先のタッチパネル操作面に縫い付けられた所定面積の導電体を有し、静電容量式のタッチパネルを使用した表示器の操作が容易な静電容量式タッチパネル操作用手袋が開示されている。
【先行技術文献】
【特許文献】
【０００３】
【特許文献１】特開２００８−８１８９６号公報
【考案の概要】
【考案が解決しようとする課題】
【０００４】
前記特許文献１に開示の手袋は、手袋の指先のタッチパネル操作面に導電体を縫い付けるから、手袋における指先の嵩が増し、手袋の着用感が低下するのみならず、手袋を着用した状態で指をタッチパネルにタッチしたときに、タッチパネルへの接触感が各指に伝わり難く、タッチパネル操作を円滑に行うことができない場合がある。また、この手袋は、着用者の指と導電体との間に手袋を作る生地が介在するから、手袋が絶縁体となって着用者の指の静電容量によって流れる電流をマルチタッチパネルに伝えることができない場合があり、その電流による静電容量の変化をパネルに検出させることができない場合がある。
【０００５】
本考案の目的は、着用感が低下することなく、着用者の指の静電容量によって流れる電流をマルチタッチパネルに確実に伝えることができ、マルチタッチパネルを容易に操作することができる手袋を提供することにある。
【課題を解決するための手段】
【０００６】
前記課題を解決するための本考案の前提は、糸を編み込むことによって作られ、着用者の前腕から五指へ向かう部位のうちの少なくとも手の甲と手の平と五指とを包被する手袋である。
【０００７】
前記前提における考案の特徴としては、着用者の親指、人差し指、中指の基節骨から末節骨までのうちの少なくとも末節骨を覆う手袋の指部分を作る糸が合成樹脂繊維とそれら指の静電容量によって流れる電流をマルチタッチパネルに伝える導電性繊維とを撚った撚糸であり、指部分を除く手袋の残余部分を作る糸が合成樹脂繊維を撚った撚糸であり、合成樹脂繊維がアクリル、ポリエステル、ポリウレタン、ポリエチレン、ポリ塩化ビニル、ナイロン、ポリプロピレン、アセテート、ビニロン、ビニルデン、レーヨンのうちのいずれかから作られ、導電性繊維が銅、銀、鉄のうちのいずれかから作られていることにある。
【０００８】
本考案の一例としては、手袋の指部分が親指のはらおよび背を覆う親指被覆部分と人差し指のはらおよび背を覆う人差し指被覆部分と中指のはらおよび背を覆う中指被覆部分とである。
【０００９】
本考案の他の一例としては、手袋の指部分が親指のはらのみを覆う親指のはら被覆部分と人差し指のはらのみを覆う人差し指のはら被覆部分と中指のはらのみを覆う中指のはら被覆部分とである。
【００１０】
本考案の他の一例としては、手袋の指部分を作る撚糸１００重量％に対する合成樹脂繊維の割合が７０〜８０重量％の範囲、手袋の指部分を作る撚糸１００重量％に対する導電性繊維の割合が２０〜３０重量％の範囲にある。
【００１１】
本考案の他の一例としては、手袋の指部分を作る撚糸の色が残余部分のそれと異なっている。
【考案の効果】
【００１２】
本考案にかかる手袋によれば、着用者の親指、人差し指、中指の基節骨から末節骨までのうちの少なくとも末節骨を覆う手袋の指部分を作る糸が合成樹脂繊維と導電性繊維とを撚った撚糸であり、指部分を除く手袋の残余部分を作る糸が合成樹脂繊維を撚った撚糸であり、指部分と残余部分とがそれら撚糸を編み込むことによって一体に作られているから、手袋の指先部分の嵩が増すことはなく、着用感の低下を防ぐことができるとともに、指部分を作る撚糸に導電性繊維が含まれているから、指部分をマルチタッチパネルにタッチさせることで、着用者のそれら指の静電容量によって流れる電流を手袋からパネルに伝えることができ、その電流による静電容量の変化をパネルに検出させることができる。この手袋は、それ本来の着用感を保持しつつ着用者が手袋を着用した状態でマルチタッチパネルを容易に操作することができる。
【００１３】
手袋の指部分が親指のはらおよび背を覆う親指被覆部分と人差し指のはらおよび背を覆う人差し指被覆部分と中指のはらおよび背を覆う中指被覆部分とである手袋は、親指被覆部分や人差し指被覆部分、中指被覆部分のいずれか１つをマルチタッチパネルにタッチさせることで、着用者のそれら指の静電容量によって流れる電流をそれら被覆部分からパネルに伝えることができ、その電流による静電容量の変化をパネルに検出させることができる。この手袋は、それ本来の着用感を保持しつつ着用者が手袋を着用した状態でマルチタッチパネルを容易に操作することができる。
【００１４】
手袋の指部分が親指のはらのみを覆う親指のはら被覆部分と人差し指のはらのみを覆う人差し指のはら被覆部分と中指のはらのみを覆う中指のはら被覆部分とである手袋は、親指のはら被覆部分や人差し指のはら被覆部分、中指のはら被覆部分のいずれか１つをマルチタッチパネルにタッチさせることで、着用者のそれら指の静電容量によって流れる電流をそれら被覆部分からパネルに伝えることができ、その電流による静電容量の変化をパネルに検出させることができる。この手袋は、それ本来の着用感を保持しつつ着用者が手袋を着用した状態でマルチタッチパネルを容易に操作することができる。
【００１５】
指部分を作る撚糸１００重量％に対する合成樹脂繊維の割合が７０〜８０重量％の範囲、指部分を作る撚糸１００重量％に対する導電性繊維の割合が２０〜３０重量％の範囲にある手袋は、撚糸に導電性繊維が前記割合で含まれているから、指部分をマルチタッチパネルにタッチさせることで、着用者のそれら指の静電容量によって流れる電流を手袋からパネルに確実に伝えることができ、その電流による静電容量の変化をパネルに確実に検出させることができる。この手袋は、それ本来の着用感を保持しつつ着用者が手袋を着用した状態でマルチタッチパネルを容易に操作することができる。
【００１６】
手袋の指部分を作る撚糸の色が残余部分のそれと異なっている手袋は、色の違いによって手袋の着用者が指部分と残余部分とを容易に区別することができ、手袋を着用した状態で指をマルチタッチパネルにタッチするときに、電流をパネルに伝えることが可能な指部分をパネルに確実にタッチさせることができ、着用者が手袋を着用した状態でパネルの操作を容易に行うことができる。
【図面の簡単な説明】
【００１７】
【図１】一例として示す手袋の斜視図。
【図２】図１の２−２線端面図。
【図３】手袋におけるマルチタッチパネルの操作例を示す斜視図。
【図４】他の一例として示す手袋の斜視図。
【図５】図４の５−５線端面図。
【図６】手袋におけるマルチタッチパネルの操作例を示す斜視図。
【考案を実施するための形態】
【００１８】
一例として示す手袋１０Ａの斜視図である図１等の添付の図面を参照し、本考案に係る手袋の詳細を説明すると、以下のとおりである。なお、図２は、図１の２−２線端面図であり、図３は、手袋１０Ａにおけるマルチタッチパネル２３の操作例を示す斜視図である。図１では、右手用の手袋１０Ａのみを図示し、着用者１１が手袋１０Ａを右手に着用した状態を示す。図２では、手袋１０Ａを着用した人差し指１３を二点鎖線で示す。図３では、手袋１０Ａを着用した着用者１１が静電容量方式（表面型静電容量方式または投影型静電容量方式）のスマートフォン２２（高機能携帯端末）のマルチタッチパネル２３を操作している一例を示す。図１では、長さ方向の寸法を矢印Ａで示し、幅方向の寸法を矢印Ｂで示す。
【００１９】
手袋１０Ａは、寒さに対する防寒用、または、事故や怪我に対する防御用として着用者１１がその手に着用する。手袋１０Ａは、着用者１１の前腕から五指へ向かう部位のうち、手首や手の甲、手の平、五指を包被する。手袋１０Ａを着用するには、手挿入口から手を挿入する。手袋１０Ａ（後記する手袋１０Ｂを含む）の長さ方向の寸法や幅方向の寸法、大きさについて特に限定はなく、着用者１１の前腕から五指へ向かう部位のすべてを包被するものであってもよく、着用者１１の手の甲および手の平、五指を包被するものであってもよい。
【００２０】
手袋１０Ａでは、着用者１１の五指のうちの親指１２、人差し指１３、中指１４の末節骨を覆う指部分１５を作る糸が熱可塑性合成樹脂繊維と導電性繊維とを撚った撚糸であり、指部分１５を除く手袋１０Ａの残余部分１６を作る糸が熱可塑性合成樹脂繊維を撚った撚糸である。手袋１０Ａは、それら撚糸を編み込むことによって作られた編み物（横編）である。手袋１０Ａでは、その指部分１５を作る撚糸（熱可塑性合成樹脂繊維および導電性繊維）の色が残余部分１６のそれ（熱可塑性合成樹脂繊維）と異なっている。
【００２１】
指部分１５は、図１，２に示すように、着用者１１の親指１２の末節骨の指のはらおよび背を覆う親指被覆部分１７と、人差し指１３の末節骨の指のはらおよび背を覆う人差し指被覆部分１８と、中指１４の末節骨の指のはらおよび背を覆う中指被覆部分１９とである。この手袋１０Ａでは、親指被覆部分１７が着用者１１の親指１２の基節骨および末節骨の指のはらおよび背を被覆していてもよく、人差し指被覆部分１８が人差し指１３の中節骨および末節骨の指のはらおよび背を被覆していてもよい。また、人差し指被覆部分１８が人差し指１３の基節骨から末節骨までの指のはらおよび背を被覆していてもよく、中指被覆部分１９が中指１４の中節骨および末節骨の指のはらおよび背を被覆していてもよく、中指被覆部分１９が中指１４の基節骨から末節骨までの指のはらおよび背を被覆していてもよい。
【００２２】
なお、右手用の手袋１０Ａのみの指部分１５（親指被覆部分１７、人差し指被覆部分１８、中指被覆部分１９）が熱可塑性合成樹脂繊維と導電性繊維とを撚った撚糸から作られ、左手用の手袋１０Ａはその指部分や残余部分が熱可塑性合成樹脂繊維を撚った撚糸から作られている。着用者１１の手首を包被する手袋１０Ａの残余部分１６には、伸縮性を有する弾性撚糸（ポリウレタン繊維やポリエーテル・エステル系の弾性撚糸等）が混入され、部分１６が手袋１０Ａを着用した着用者１１の手首を締め付けることで、着用中における手袋１０Ａの脱落やズレ動きを防いでいる。
【００２３】
熱可塑性合成樹脂繊維は、アクリル、ポリエステル、ポリウレタン、ポリエチレン、ポリ塩化ビニル、ナイロン、ポリプロピレン、アセテート、ビニロン、ビニルデン、レーヨンのうちのいずれかから作られている（アクリル繊維、ポリエステル繊維、ポリウレタン繊維、ポリエチレン繊維、ポリ塩化ビニル繊維、ナイロン繊維、ポリプロピレン繊維、アセテート繊維、ビニロン繊維、ビニルデン繊維、レーヨン繊維）。合成樹脂繊維は、熱可塑性合成樹脂（原料）を紡糸口金（ノズル）から押し出して製造される。製造方法には、溶融紡糸や乾式紡糸、湿式紡糸がある。熱可塑性合成樹脂繊維には、異形断面繊維、中空繊維、異形中空繊維、芯−鞘型繊維を使用することもできる。導電性繊維は、銅、銀、鉄の導電性金属のうちのいずれかから作られている（銅繊維、銀繊維、鉄繊維）。導電性繊維は、導電性金属（原料）を紡糸口金（ノズル）から押し出して製造される。
【００２４】
手袋１０Ａは、その指部分１５（親指被覆部分１７、人差し指被覆部分１８、中指被覆部分１９）が導電性繊維を含む編み物であるから、合成樹脂繊維を撚った撚糸から作られた残余部分１６と比較し、電気抵抗が小さく、着用者１１の親指１２、人差し指１３、中指１４の静電容量によって流れる電流を指部分１５から外部に容易に伝えることができる。逆に、手袋１０Ａの残余部分１６は、合成樹脂繊維を撚った撚糸から作られた編み物であるから、合成樹脂繊維と導電性繊維とを撚った撚糸から作られた指部分１５と比較し、電気抵抗が非常に大きく、たとえば、着用者１１の薬指２０や小指２１の静電容量によって流れる電流を残余部分１６から外部に伝えることはできない。
【００２５】
手袋１０Ａを着用した着用者１１がスマートフォン２２のマルチタッチパネル２３を操作する場合、図３に示すように、手袋１０Ａを着用した左手でスマートフォン２２を持ち、手袋１０Ａを着用した右手でスマートフォン２２のマルチタッチパネル２３を操作する。手袋１０Ａの指部分１５（親指被覆部分１７、人差し指被覆部分１８、中指被覆部分１９）をマルチタッチパネル２３にタッチすると、着用者の親指１２、人差し指１３、中指１４の静電容量によって流れる電流が指部分１５からパネル２３に伝わり、その電流による静電容量の変化をパネル２３が検出し、それによってパネル２３の静電容量が変化することで、手袋１０Ａを着用した状態でパネル２３の操作が可能となる。
【００２６】
手袋１０Ａでは、その指部分１５（親指被覆部分１７、人差し指被覆部分１８、中指被覆部分１９）を作る撚糸１００重量％に対する熱可塑性合成樹脂繊維の割合が７０重量％以上８０重量％以下の範囲、好ましくは、７５重量％以上８０重量％以下の範囲にあり、指部分１５を作る撚糸１００重量％に対する導電性繊維の割合が２０重量％以上３０重量％以下の範囲、好ましくは、２０重量％以上２５重量％以下の範囲にある。
【００２７】
導電性繊維の割合が２０重量％未満では、手袋１０Ａの指部分１５の電気抵抗が大きくなり、指部分１５の導電性が低下し、着用者１１の指１２〜１４の静電容量によって流れる電流を指部分１５からマルチタッチパネル２３に伝えることが困難になり、手袋１０Ａを着用した状態でパネル２３を操作することができない場合がある。
【００２８】
導電性繊維の割合が３０重量％を超過すると、柔軟性の高い熱可塑性合成樹脂繊維の量（割合）に比較し、柔軟性の低い導電性繊維の量（割合）が必要以上に増え、指部分１５の硬度が増して柔軟性が低下し、手袋１０Ａを着用した着用者１１の親指１２、人差し指１３、中指１４に不快感を与えるのみならず、マルチタッチパネル２３にタッチした感触が手袋１０Ａから各指１２〜１４に伝わり難く、パネル２３に対する操作性が低下し、パネル２３の操作が困難になる場合がある。
【００２９】
手袋１０Ａは、指部分１５を作る撚糸１００重量％に対する合成樹脂繊維の割合が前記範囲にあり、指部分１５を作る撚糸１００重量％に対する導電性繊維の割合が前記範囲にあるから、手袋１０Ａを着用した状態で着用者１１の親指１２や人差し指１３、中指１４の静電容量によって流れる電流を指部分１５からマルチタッチパネル２３に確実に伝えることができ、手袋１０Ａを着用した状態でパネル２３を容易に操作することが可能となる。手袋１０Ａは、指部分１５の硬度が必要以上に増すことはなく、指部分１５の柔軟性の低下を防ぐことができ、パネル２３に対する操作性が低下することはない。
【００３０】
手袋１０Ａは、その指部分１５（親指被覆部分１７、人差し指被覆部分１８、中指被覆部分１９）と残余部分１６とが撚糸を編み込むことによって一体に作られ、残余部分１６に比較して指部分１５の嵩が増すことはなく、手袋１０Ａを着用した着用者の指１２〜１４に不快感を与えることがなく、着用感の低下を防ぐことができるとともに、指部分１５を作る撚糸に導電性繊維が含まれているから、着用者１１のそれら指１２〜１４の静電容量によって流れる電流をマルチタッチパネル２３に確実に伝えることができ、所定の着用感を保持しつつ手袋１０Ａを着用した状態で、パネル２３を容易に操作することができる。
【００３１】
手袋１０Ａは、その指部分１５（親指被覆部分１７、人差し指被覆部分１８、中指被覆部分１９）を作る撚糸の色が残余部分１６のそれと異なっているから、色の違いによって手袋１０Ａの着用者１１が指部分１５と残余部分１６とをはっきりと区別することができ、手袋１０Ａを着用した各指１２〜１４をマルチタッチパネル２３にタッチするときに、電流をマルチタッチパネル２３に伝えることが可能な指部分１５をパネル２３に確実にタッチさせることができ、着用者１１が手袋１０Ａを着用した状態でパネル２３の操作を容易に行うことができる。
【００３２】
図４は、他の一例として示す手袋１０Ｂの斜視図であり、図５は、図４の５−５線端面図である。図６は、手袋１０Ｂにおけるマルチタッチパネル２３の操作例を示す斜視図である。図４では、右手用の手袋１０Ｂのみを図示し、着用者１１が手袋１０Ｂを右手に着用した状態を示す。図５では、手袋１０Ｂを着用した人差し指１３を二点鎖線で示す。図６では、手袋１０Ｂを着用した着用者１１が静電容量方式（表面型静電容量方式または投影型静電容量方式）のスマートフォン２２（高機能携帯端末）のマルチタッチパネル２３を操作している一例を示す。図４では、長さ方向の寸法を矢印Ａで示し、幅方向の寸法を矢印Ｂで示す。
【００３３】
手袋１０Ｂは、図１のそれと同様に、寒さに対する防寒用、または、事故や怪我に対する防御用として着用者１１がその手に着用し、着用者１１の前腕から五指へ向かう部位のうち、手首や手の甲、手の平、五指を包被する。手袋１０Ｂを着用するには、手挿入口から手を挿入する。
【００３４】
手袋１０Ｂでは、着用者１１の五指のうちの親指１２、人差し指１３、中指１４の基節骨から末節骨までを覆う指部分１５を作る糸が熱可塑性合成樹脂繊維と導電性繊維とを撚った撚糸であり、指部分１５を除く手袋１０Ａの残余部分１６を作る糸が熱可塑性合成樹脂繊維を撚った撚糸である。手袋１０Ｂは、それら撚糸を編み込むことによって作られた編み物（横編）である。手袋１０Ｂでは、その指部分１５を作る撚糸（熱可塑性合成樹脂繊維および導電性繊維）の色が残余部分１６のそれ（熱可塑性合成樹脂繊維）と異なっている。
【００３５】
指部分１５は、図４，５に示すように、着用者１１の親指１２の基節骨から末節骨までの指のはらのみ覆う親指のはら被覆部分２４と、人差し指１３の基節骨から末節骨までの指のはらのみを覆う人差し指のはら被覆部分２５と、中指１４の基節骨から末節骨までの指のはらのみを覆う中指のはら被覆部分１９とである。この手袋１０Ａでは、親指のはら被覆部分２４が着用者１１の親指１２の末節骨の指のはらのみを被覆していてもよく、人差し指のはら被覆部分２５が人差し指１３の中節骨および末節骨の指のはらのみを被覆していてもよい。また、人差し指のはら被覆部分２５が人差し指１３の末節骨の指のはらのみを被覆していてもよく、中指のはら被覆部分２６が中指１４の中節骨および末節骨の指のはらのみを被覆していてもよく、中指のはら被覆部分２６が中指１４の末節骨の指のはらのみを被覆していてもよい。
【００３６】
なお、右手用の手袋１０Ｂのみの指部分１５（親指のはら被覆部分２４、人差し指のはら被覆部分２５、中指のはら被覆部分２６）が熱可塑性合成樹脂繊維と導電性繊維とを撚った撚糸から作られ、左手用の手袋１０Ｂはその指部分や残余部分が熱可塑性合成樹脂繊維を撚った撚糸から作られている。着用者１１の手首を包被する手袋１０Ｂの残余部分１６には、伸縮性を有する弾性撚糸（ポリウレタン繊維やポリエーテル・エステル系の弾性撚糸等）が混入され、部分１６が手袋１０Ｂを着用した着用者１１の手首を締め付けることで、着用中における手袋１０Ｂの脱落やズレ動きを防いでいる。
【００３７】
熱可塑性合成樹脂繊維は、図１のそれと同様に、アクリル、ポリエステル、ポリウレタン、ポリエチレン、ポリ塩化ビニル、ナイロン、ポリプロピレン、アセテート、ビニロン、ビニルデン、レーヨンのうちのいずれかから作られている。導電性繊維は、図１のそれと同様に、銅、銀、鉄の導電性金属のうちのいずれかから作られている。
【００３８】
手袋１０Ｂは、その指部分１５（親指のはら被覆部分２４、人差し指のはら被覆部分２５、中指のはら被覆部分２６）が導電性繊維を含む編み物であるから、合成樹脂繊維を撚った撚糸から作られた残余部分１６と比較し、電気抵抗が小さく、着用者１１の親指１２、人差し指１３、中指１４の静電容量によって流れる電流を指部分１５から外部に容易に伝えることができる。逆に、手袋１０Ｂの残余部分１６は、合成樹脂繊維を撚った撚糸から作られた編み物であるから、合成樹脂繊維と導電性繊維とを撚った撚糸から作られた指部分１５と比較し、電気抵抗が非常に大きく、たとえば、着用者１１の薬指２０や小指２１の静電容量によって流れる電流を残余部分１６から外部に伝えることはできない。
【００３９】
手袋１０Ｂを着用した着用者１１がスマートフォン２２のマルチタッチパネル２３を操作する場合、図６に示すように、手袋１０Ｂを着用した左手でスマートフォン２２を持ち、手袋１０Ｂを着用した右手でスマートフォン２２のマルチタッチパネル２３を操作する。手袋１０Ｂの指部分１５（親指のはら被覆部分２４、人差し指のはら被覆部分２５、中指のはら被覆部分２６）をマルチタッチパネル２３にタッチすると、着用者の親指１２、人差し指１３、中指１４の静電容量によって流れる電流が指部分１５からパネル２３に伝わり、その電流による静電容量の変化をパネル２３が検出し、それによってパネル２３の静電容量が変化することで、手袋１０Ｂを着用した状態でパネル２３の操作が可能となる。
【００４０】
手袋１０Ｂでは、その指部分１５（親指のはら被覆部分２４、人差し指のはら被覆部分２５、中指のはら被覆部分２６）を作る撚糸１００重量％に対する熱可塑性合成樹脂繊維の割合が７０重量％以上８０重量％以下の範囲、好ましくは、７５重量％以上８０重量％以下の範囲にあり、指部分１５を作る撚糸１００重量％に対する導電性繊維の割合が２０重量％以上３０重量％以下の範囲、好ましくは、２０重量％以上２５重量％以下の範囲にある。
【００４１】
導電性繊維の割合が２０重量％未満では、手袋１０Ｂの指部分１５の電気抵抗が大きくなり、指部分１５の導電性が低下し、着用者１１の指１２〜１４の静電容量によって流れる電流を指部分１５からマルチタッチパネル２３に伝えることが困難になり、手袋１０Ｂを着用した状態でパネル２３を操作することができない場合がある。
【００４２】
導電性繊維の割合が３０重量％を超過すると、柔軟性の高い熱可塑性合成樹脂繊維の量（割合）に比較し、柔軟性の低い導電性繊維の量（割合）が必要以上に増え、指部分１５の硬度が増して柔軟性が低下し、手袋１０Ｂを着用した着用者１１の親指１２、人差し指１３、中指１４に不快感を与えるのみならず、マルチタッチパネル２３にタッチした感触が手袋１０Ｂから各指１２〜１４に伝わり難く、パネル２３に対する操作性が低下し、パネル２３の操作が困難になる場合がある。
【００４３】
手袋１０Ｂは、指部分１５を作る撚糸１００重量％に対する合成樹脂繊維の割合が前記範囲にあり、指部分１５を作る撚糸１００重量％に対する導電性繊維の割合が前記範囲にあるから、手袋１０Ｂを着用した状態で着用者１１の親指１２や人差し指１３、中指１４の静電容量によって流れる電流を指部分１５からマルチタッチパネル２３に確実に伝えることができ、手袋１０Ｂを着用した状態でパネル２３を容易に操作することが可能となる。手袋１０Ｂは、指部分１５の硬度が必要以上に増すことはなく、指部分１５の柔軟性の低下を防ぐことができ、パネル２３に対する操作性が低下することはない。
【００４４】
手袋１０Ｂは、その指部分１５（親指のはら被覆部分２４、人差し指のはら被覆部分２５、中指のはら被覆部分２６）と残余部分１６とが撚糸を編み込むことによって一体に作られ、残余部分１６に比較して指部分１５の嵩が増すことはなく、手袋１０Ｂを着用した着用者の指１２〜１４に不快感を与えることがなく、着用感の低下を防ぐことができるとともに、指部分１５を作る撚糸に導電性繊維が含まれているから、着用者１１のそれら指１２〜１４の静電容量によって流れる電流をマルチタッチパネル２３に確実に伝えることができ、所定の着用感を保持しつつ手袋１０Ｂを着用した状態で、パネル２３を容易に操作することができる。
【００４５】
手袋１０Ｂは、その指部分１５（親指のはら被覆部分２４、人差し指のはら被覆部分２５、中指のはら被覆部分２６）を作る撚糸の色が残余部分１６のそれと異なっているから、色の違いによって手袋１０Ｂの着用者１１が指部分１５と残余部分１６とをはっきりと区別することができ、手袋１０Ｂを着用した各指１２〜１４をマルチタッチパネル２３にタッチするときに、電流をマルチタッチパネル２３に伝えることが可能な指部分１５をパネル２３に確実にタッチさせることができ、着用者１１が手袋１０Ｂを着用した状態でパネル２３の操作を容易に行うことができる。
【符号の説明】
【００４６】
１０Ａ    手袋
１０Ｂ    手袋
１１    着用者
１２    親指
１３    人差し指
１４    中指
１５    指部分
１６    残余部分
１７    親指被覆部分
１８    人差し指被覆部分
１９    中指被覆部分
２２    スマートフォン（高機能携帯端末）
２３    マルチタッチパネル
２４    親指のはら被覆部分
２５    人差し指のはら被覆部分
２６    中指のはら被覆部分
【図１】
0003178607.tif 000003
【図２】
0003178607.tif 000004
【図３】
0003178607.tif 000005
【図４】
0003178607.tif 000006
【図５】
0003178607.tif 000007
【図６】
0003178607.tif 000008